(57)【要約】【課題】  異なる二種類の情報を連携利用する際に生起しえる諸問題を回避する。【解決手段】  端末（１）内部に位置して映像及び音声またはそのいずれかを含む映像／音声情報を取得する第一の映像／音声情報取得手段（１７）、前記映像／音声情報を前記端末（１）外部で取得する第二の映像／音声情報取得手段（２）を遠隔操作する遠隔操作手段（２３）、文字を含む文字情報を取得する文字情報取得手段（１５）、前記文字情報の内容に基づいて前記第一の映像／音声情報取得手段（１７）と前記遠隔操作手段（２３）のいずれを起動するかまたは双方を起動するかを判定する判定手段（１１）、前記判定手段（１１）の判定結果に従って前記第一の映像／音声情報取得手段（１７）または前記遠隔操作手段（２３）の一方もしくは双方を起動する起動手段（１１）を備える。【選択図】  図２
2011035874.tif 000002
【特許請求の範囲】
【請求項１】
端末内部に位置して映像及び音声またはそのいずれかを含む映像／音声情報を取得する第一の映像／音声情報取得手段と、
前記映像／音声情報を前記端末外部で取得する第二の映像／音声情報取得手段を遠隔操作する遠隔操作手段と、
文字を含む文字情報を取得する文字情報取得手段と、
前記文字情報の内容に基づいて前記第一の映像／音声情報取得手段と前記遠隔操作手段のいずれを起動するかまたは双方を起動するかを判定する判定手段と、
前記判定手段の判定結果に従って前記第一の映像／音声情報取得手段または前記遠隔操作手段の一方もしくは双方を起動する起動手段とを備えたことを特徴とする端末装置。
【請求項２】
前記判定手段は前記文字情報の内容に特定情報が含まれているか否かに応じて前記第一の映像／音声情報取得手段と前記遠隔操作手段のいずれを起動するかまたは双方を起動するかを判定することを特徴とする請求項１に記載の端末装置。
【請求項３】
前記端末の状態を検出する検出手段をさらに備え、
前記判定手段は前記文字情報の内容と該検出手段の検出結果とに基づいて前記第一の映像／音声情報取得手段と前記遠隔操作手段のいずれを起動するかまたは双方を起動するかを判定することを特徴とする請求項１に記載の端末装置。
【請求項４】
前記端末の位置情報または現在の日時情報を取得する取得手段をさらに備え、
前記判定手段は前記文字情報の内容と該取得手段の取得結果とに基づいて前記第一の映像／音声情報取得手段と前記遠隔操作手段のいずれを起動するかまたは双方を起動するかを判定することを特徴とする請求項１に記載の端末装置。
【請求項５】
前記判定手段は前記文字情報の内容に基づいて前記第一の映像／音声情報取得手段と前記遠隔操作手段のいずれを起動するかまたは双方を起動するかを判定するとともに前記第一の映像／音声情報取得手段を起動する場合には該第一の映像／音声情報取得手段にどのチャンネル番号を設定するかを判定し、
前記起動手段は前記判定手段の判定結果に従って前記第一の映像／音声情報取得手段を起動するとともに前記チャンネル番号を設定することを特徴とする請求項１に記載の端末装置。
【請求項６】
前記判定手段は前記文字情報の内容に基づいて前記第一の映像／音声情報取得手段と前記遠隔操作手段のいずれを起動するかまたは双方を起動するかを判定するとともに前記遠隔操作手段を起動した場合には前記第二の映像／音声情報取得手段にどのチャンネル番号を設定するかを判定し、
前記起動手段は前記判定手段の判定結果に従って前記遠隔操作手段を起動するとともに前記チャンネル番号を設定することを特徴とする請求項１に記載の端末装置。
【請求項７】
前記検出手段は前記端末の使用スタイルを検出することを特徴とする請求項３に記載の端末装置。
【請求項８】
前記検出手段は前記端末の動作中の機能を検出することを特徴とする請求項３に記載の端末装置。
【請求項９】
前記検出手段は前記端末の電池の消耗状態を検出することを特徴とする請求項３に記載の端末装置。
【請求項１０】
端末内部に位置して映像及び音声またはそのいずれかを含む映像／音声情報を取得する第一の映像／音声情報取得手段と前記映像／音声情報を前記端末外部で取得する第二の映像／音声情報取得手段を遠隔操作する遠隔操作手段と文字を含む文字情報を取得する文字情報取得手段とを備えた端末の制御方法であって、
前記文字情報の内容に基づいて前記第一の映像／音声情報取得手段と前記遠隔操作手段のいずれを起動するかまたは双方を起動するかを判定する判定工程と、
前記判定工程の判定結果に従って前記第一の映像／音声情報取得手段または前記遠隔操作手段の一方もしくは双方を起動する起動工程と
を含むことを特徴とする制御方法。
【請求項１１】
端末内部に位置して映像及び音声またはそのいずれかを含む映像／音声情報を取得する第一の映像／音声情報取得手段と前記映像／音声情報を前記端末外部で取得する第二の映像／音声情報取得手段を遠隔操作する遠隔操作手段と文字を含む文字情報を取得する文字情報取得手段とを備えた端末装置のコンピュータに、
前記文字情報の内容に基づいて前記第一の映像／音声情報取得手段と前記遠隔操作手段のいずれを起動するかまたは双方を起動するかを判定する判定手段、及び、前記判定手段の判定結果に従って前記第一の映像／音声情報取得手段または前記遠隔操作手段の一方もしくは双方を起動する起動手段
の各機能を実現させるためのプログラム。
【発明の詳細な説明】
【技術分野】
【０００１】
本発明は、異なる二種類の情報の連携利用を考慮した端末装置、制御方法及びプログラムに関する。
【背景技術】
【０００２】
携帯電話機などの端末装置は様々な情報を取得することができる。情報を取得する方法の一例としては、情報配信サービスがあり、この情報配信サービスには、配信する情報の内容に応じたいくつかの種類のもの、たとえば、少なくとも文字を含む「文字情報配信サービス」や、少なくとも映像又は音声を含む「映像／音声情報配信サービス」などがある。
【０００３】
前者の典型はインターネット経由の電子メールやニュース（主にテキストからなるもの）の配信であり、後者の典型は地上波や衛星あるいはケーブル等を媒体にしたテレビ放送やラジオ放送である。なお、これ以外にも地上波やＦＭ波等を利用した文字放送も知られており、これも文字情報配信サービスの仲間であるが、ここでは説明の簡単化のために割愛することにする。
【０００４】
さて、今日においては、これら二種類の情報配信サービスを連携して利用するユーザが多くなっている。たとえば、まず、適当な文字情報配信サービスの利用者（ユーザ）となって、当該サービスからの情報配信（電子メールやニュース）を受け、そして、その電子メールやニュースの中に気になる情報が含まれていた場合に、より詳細な情報を得るために、テレビ放送やラジオ放送などの映像／音声情報配信サービスを利用する、といった使い方である。
【０００５】
これは、多くの文字情報配信サービスにあっては、情報サイズ制約の面から、すべての情報をもれなく掲載できないからで、文字主体の、いわゆるテキスト情報で概要のみを伝えるにとどめているからであり、より詳細な情報を得るためには、改めてテレビ放送やラジオ放送を視聴しなければならないからである。
【０００６】
しかしながら、上述した情報配信サービスの連携利用にあっては、受信したすべての電子メールやニュースに目を通し、その中で興味を引いた情報に基づいて、意図的にテレビ放送やラジオ放送を視聴するという手順を踏む必要があり、第一に、すべての電子メールやニュースに目を通さなければならず非効率である、第二に、テレビ受信機やラジオ受信機をいちいちオンにしてチャンネル合わせをしなければならず面倒である、という不都合がある。
【０００７】
このような第一及び第二の点において、下記の特許文献１には、緊急放送配信サーバから電子メールの形で配信された地震情報を、テレビ放送受信機能付の携帯無線通信端末で受信すると、テレビ放送受信機能を起動して、放送局からの緊急放送を受信・再生するという技術が記載されているので、これを応用することにより、上記の不都合を解消することが考えられる。
【０００８】
すなわち、同文献中の「緊急放送配信サーバ」を上述の“文字情報配信サービスを提供するためのサーバ”と読み替え、さらに、同文献中の「地震情報」を上述の“興味を引いた情報”に読み替えることにすれば、受信した電子メールやニュースにいちいち目を通すことなく（第一の欠点解消）、所望のテレビ放送やラジオ放送を自動的に起動してより詳細な情報を得ること（第二の欠点解消）が可能になり、効率の改善と面倒の回避を図ることができる。
【先行技術文献】
【特許文献】
【０００９】
【特許文献１】特開２００７−１４２７４４号公報
【発明の概要】
【発明が解決しようとする課題】
【００１０】
しかしながら、単に特許文献１の技術を適用しただけでは、以下の不都合が生じる。
まず、特許文献１に記載されたテレビ放送やラジオ放送の受信機能は、携帯無線通信端末に搭載された機能である。それゆえ、（１）携帯無線通信端末の他の機能、たとえば、電話等の通信機能を利用中に、勝手にテレビ放送やラジオ放送の受信機能が起動してしまうと、この場合、電話等の通信が不本意に中断されてしまうという不都合がある。また、（２）テレビ放送やラジオ放送の受信に際しては、通信機能等に比べて大目の電池電力を必要とするが、電池が弱っている場合にテレビ放送やラジオ放送の受信機能を起動すると、さらなる電池消耗を招き、ついには、電池の能力を失って携帯無線通信端末の本来の機能（通信機能）をも喪失してしまうという不都合がある。
【００１１】
そこで、本発明の目的は、異なる二種類の情報を連携利用する際に生起しえる諸問題を回避することにある。
【課題を解決するための手段】
【００１２】
請求項１記載の発明は、端末内部に位置して映像及び音声またはそのいずれかを含む映像／音声情報を取得する第一の映像／音声情報取得手段と、前記映像／音声情報を前記端末外部で取得する第二の映像／音声情報取得手段を遠隔操作する遠隔操作手段と、文字を含む文字情報を取得する文字情報取得手段と、前記文字情報の内容に基づいて前記第一の映像／音声情報取得手段と前記遠隔操作手段のいずれを起動するかまたは双方を起動するかを判定する判定手段と、前記判定手段の判定結果に従って前記第一の映像／音声情報取得手段または前記遠隔操作手段の一方もしくは双方を起動する起動手段とを備えたことを特徴とする。
【００１３】
請求項１０記載の発明は、端末内部に位置して映像及び音声またはそのいずれかを含む映像／音声情報を取得する第一の映像／音声情報取得手段と前記映像／音声情報を前記端末外部で取得する第二の映像／音声情報取得手段を遠隔操作する遠隔操作手段と文字を含む文字情報を取得する文字情報取得手段とを備えた端末の制御方法であって、前記文字情報の内容に基づいて前記第一の映像／音声情報取得手段と前記遠隔操作手段のいずれを起動するかまたは双方を起動するかを判定する判定工程と、前記判定工程の判定結果に従って前記第一の映像／音声情報取得手段または前記遠隔操作手段の一方もしくは双方を起動する起動工程とを含むことを特徴とする。
【００１４】
さらに、コンピュータに対して、上述した請求項１記載の発明に示した主要機能を実現させるためのプログラムを提供する（請求項１１記載の発明）。
【００１５】
また、上述した請求項１記載の発明は次のようなものであってもよい。
前記判定手段は前記文字情報の内容に特定情報が含まれているか否かに応じて前記第一の映像／音声情報取得手段と前記遠隔操作手段のいずれを起動するかまたは双方を起動するかを判定する（請求項２記載の発明）。
【００１６】
前記端末の状態を検出する検出手段をさらに備え、前記判定手段は前記文字情報の内容と該検出手段の検出結果とに基づいて前記第一の映像／音声情報取得手段と前記遠隔操作手段のいずれを起動するかまたは双方を起動するかを判定する（請求項３記載の発明）。
【００１７】
前記端末の位置情報または現在の日時情報を取得する取得手段をさらに備え、前記判定手段は前記文字情報の内容と該取得手段の取得結果とに基づいて前記第一の映像／音声情報取得手段と前記遠隔操作手段のいずれを起動するかまたは双方を起動するかを判定する（請求項４記載の発明）。
【００１８】
前記判定手段は前記文字情報の内容に基づいて前記第一の映像／音声情報取得手段と前記遠隔操作手段のいずれを起動するかまたは双方を起動するかを判定するとともに前記第一の映像／音声情報取得手段を起動する場合には該第一の映像／音声情報取得手段にどのチャンネル番号を設定するかを判定し、前記起動手段は前記判定手段の判定結果に従って前記第一の映像／音声情報取得手段を起動するとともに前記チャンネル番号を設定する（請求項５記載の発明）。
前記判定手段は前記文字情報の内容に基づいて前記第一の映像／音声情報取得手段と前記遠隔操作手段のいずれを起動するかまたは双方を起動するかを判定するとともに前記遠隔操作手段を起動した場合には前記第二の映像／音声情報取得手段にどのチャンネル番号を設定するかを判定し、前記起動手段は前記判定手段の判定結果に従って前記遠隔操作手段を起動するとともに前記チャンネル番号を設定する（請求項６記載の発明）。
【００１９】
また、上述した請求項３記載の発明は次のようなものであってもよい。
前記検出手段は前記端末の使用スタイルを検出する（請求項７記載の発明）。
前記検出手段は前記端末の動作中の機能を検出する（請求項８記載の発明）。
前記検出手段は前記端末の電池の消耗状態を検出する（請求項９記載の発明）。
【発明の効果】
【００２０】
本発明によれば、異なる二種類の情報を連携利用する際に生起しえる諸問題を回避することができる。
【図面の簡単な説明】
【００２１】
【図１】携帯電話機が利用可能な通信ネットワークシステムを示したブロック図である。
【図２】携帯電話機１の基本的な構成要素を示したブロック図である。
【図３】携帯電話機１の外観図である。
【図４】表示部１８の表示例を示す図である。
【図５】ニュース情報記憶部Ｍ３を説明するための図である。
【図６】番組情報記憶部Ｍ４を説明するための図である。
【図７】指定キーワード記憶部Ｍ５を説明するための図である。
【図８】条件記憶部Ｍ６を説明するための図である。
【図９】電源投入に伴って実行開始される携帯電話機１側の全体動作の概要を示したフローチャート（メインフロー）である。
【図１０】設定処理（図９のステップＳ４）の詳細フローチャートである。
【図１１】受信処理（図９のステップＳ６）の詳細フローチャート（１／２）である。
【図１２】受信処理（図９のステップＳ６）の詳細フローチャート（２／２）である。
【図１３】テレビ機能処理（図１１のステップＳ５３）の詳細フローチャートである。
【図１４】リモコン機能処理（図１１のステップＳ５４）の詳細フローチャートである。
【図１５】本実施形態の特徴的事項を示す概念図である。
【発明を実施するための形態】
【００２２】
以下、本発明の実施形態を、携帯電話機に適用した場合を例にして、図面を参照しながら説明する。
図１は、携帯電話機が利用可能な通信ネットワークシステムを示したブロック図である。この図において、携帯電話機１には、通話機能、電子メール機能、インターネット接続機能（Ｗｅｂアクセス機能）のほか、ニュース受信機能、カメラ撮影機能及び撮影済み画像の再生機能、ならびに、デジタルテレビ放送（たとえば、ワンセグ地上デジタルテレビ放送）の受信機能などが備えられており、さらにそれらに加えて、外部のテレビ受信機やラジオ受信機またはＦＭステレオ受信機などのＡＶ機器２を、電波や赤外線等のワイヤレス媒体３やケーブル４を介して遠隔操作するためのリモコン機能が備えられている。
【００２３】
携帯電話機１は、最寄りの基地局５Ａを経由して交換機５Ｂから有線・無線通信網（一般公衆電話通信網と移動体通信網）５に接続されると、この有線・無線通信網５を介して他の携帯電話機や一般加入電話機（図示省略）との間で通話可能な状態となる。また、携帯電話機１は、有線・無線通信網５を介してインターネット６に接続されると、情報配信装置７をはじめとする各種のＷｅｂサイトを所望によりアクセスして、このＷｅｂサイト内のコンテンツを閲覧可能となり、また、適宜に情報配信装置７からの情報（動画、静止画、音楽、ニュースなどの情報）をインターネット６と有線・無線通信網５を介してダウンロード可能となる。また、携帯電話機１は、テレビ局８から送信アンテナ９を介して送信された放送波（特に限定されないが、ここではテレビ用の放送波とする。）を受信できるように構成されているが、これに限らず、たとえば、インターネットラジオのように有線・無線通信網５やインターネット６を介して情報配信装置７から配信されたデジタル放送をダウンロード受信することもできる。または、ここでは、テレビ放送としているが、ラジオ放送であってもかまわない。この場合、テレビ局８をＡＭラジオやＦＭラジオの放送局と読み替えればよい。
【００２４】
図２は、携帯電話機１の基本的な構成要素を示したブロック図である。
この図において、中央制御部１１は、充電可能な二次電池（図示省略：以下、単に「電池」という。）を備えた電池部１２からの電力供給によって動作し、記憶部１３内の各種のプログラムに応じてこの携帯電話機１の全体動作を制御する、不図示の中央演算処理装置（コンピュータ）やメモリ（図示省略）などを有している。記憶部１３には、プログラム記憶部Ｍ１、各種情報一時記憶部Ｍ２、ニュース情報記憶部Ｍ３、番組情報記憶部Ｍ４、指定キーワード記憶部Ｍ５、条件記憶部Ｍ６などが設けられている。
【００２５】
プログラム記憶部Ｍ１は、図９〜図１４に示した動作手順に応じて本実施形態を実現するためのプログラムや各種のアプリケーションなどが格納されているほか、それらのプログラムや各種のアプリケーションなどの動作に必要な情報などが記憶されている。また、各種情報一時記憶部Ｍ２は、フラグ情報、タイマ情報、画面情報など、携帯電話機１が動作するために必要な各種の情報を一時的に記憶するワーク領域である。なお、ニュース情報記憶部Ｍ３、番組情報記憶部Ｍ４、指定キーワード記憶部Ｍ５、条件記憶部Ｍ６については後で詳述するものとする。
【００２６】
電池部１２は、不図示の電池を電源にして携帯電話機１の各部の動作に必要な電力を発生すると共に、必要に応じ、商用電源を用いて電池を充電し、且つ、その電池の消耗状態を検出して中央制御部１１に出力（一般的に電池の端子電圧に応じて満充電状態から充電警告状態までの各状態を段階的に示す信号を出力）する。
【００２７】
ＧＰＳ受信部１４は、図示しない複数のＧＰＳ（Ｇｌｏｂａｌ  Ｐｏｓｉｔｉｏｎｉｎｇ  Ｓｙｓｔｅｍ：全地球測位システム）衛星からのＧＰＳ信号を受信し、それらのＧＰＳ信号に基づいて携帯電話機１の位置情報（緯度経度及び必要であれば高度）を特定し、その位置情報を中央制御部１１からの要求に応じて中央制御部１１に出力する。このＧＰＳ受信部１４は、携帯電話機１の現在位置を取得するための取得手段として機能するが、このような位置の取得手段は、これ（ＧＰＳを利用したもの）に限らない。
【００２８】
一般的に携帯電話機１は、図１に示した基地局５Ａを中心とする半径数百メートル（または数キロメートルのものもある。）のセルと呼ばれるゾーン内で通話路を構成するセル通信方式を採用しているため、通信中の基地局５Ａを特定（＝セル番号を特定）することにより、セル半径に相当する精度で自位置を推定することができる。したがって、そもそも携帯電話機１は、それ自体に「位置の取得手段」の機能を備えているということができる。ＧＰＳ受信部１４を「位置の取得手段」とした場合の利点は、もっぱら自位置の推定精度が高い（最大で数十センチメートル）ことにある。求められる位置検出精度を勘案してＧＰＳ受信部１４を備えるか、または、携帯電話機１に元々備えられている「位置の取得手段」に相当する機能（セル番号を特定して位置を推定するもの）を利用するかを決めればよい。
【００２９】
無線通信部１５は、図示しない無線部やベースバンド部、多重分離部などを備え、たとえば、音声による通話機能、ニュース受信機能、電子メール機能、インターネット接続機能などの動作時に、最寄りの基地局５Ａとの間でデータの送受信を行うもので、通話機能の動作時にはベースバンド部の受信側から信号を取り込んで受信ベースバンド信号に復調したのち、音声信号処理部１６を介して通話用スピーカＳＰから音声出力させ、また、通話用マイクＭＣからの入力音声データを音声信号処理部１６から取り込み、送信ベースバンド信号に符号化したのち、ベースバンド部の送信側に与えてアンテナから発信出力させるほか、ニュース受信機能や電子メール機能またはインターネット接続機能などのデータ通信時には、ベースバンド部の受信側から信号を取り込んで受信ベースバンド信号に復調したのち、その受信データを中央制御部１１に出力する。
【００３０】
テレビ放送受信部１７（ここではテレビ放送に限定するが、これは説明上の便宜である。ラジオ放送受信部またはテレビ／ラジオ放送兼用受信部であってもよい。）は、端末装置向けのワンセグ地上波デジタルテレビ放送のほか、電子番組表（ＥＰＧ）などの番組情報も含めて受信可能となっている。このテレビ放送受信部１７は、放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００３１】
表示部１８は、高精細液晶を使用し、たとえば、文字情報、待受画像、テレビ映像などの表示情報を表示させるもので、この表示部１８の表示画面（表示領域）は、矩形（長方形）を成している。
【００３２】
操作部１９は、ダイヤル入力、文字入力、コマンド入力などを入力するもので、中央制御部１１は、この操作部１９からの入力操作信号に応じた処理を実行する。ＲＴＣ（リアルタイムクロックモジュール）２０は、現在日時を特定するための時計部を構成するもので、中央制御部１１は、このＲＴＣ２０から現在日時を取得する。報知部２１は、サウンドスピーカ２１ａ、ＬＥＤ（発光ダイオード）２１ｂ、振動モータ２１ｃを備え、着信時に駆動されて音や光または振動で着信報知を行うほか、アラーム報知時などでも駆動される。
【００３３】
撮像部２２は、ＣＣＤやＣＭＯＳ等の二次元撮像デバイスを含み、この携帯電話機１がカメラの撮影モードで動作しているときには、撮影構図の確認及び修正用の動画像（スルー画像またはライブビュー画像）を中央制御部１１経由で表示部１８に出力し、さらに、操作部１９の特定キー（シャッタキー）が押下げ操作されたときには、中央制御部１１からの指令に応答して高精細の画像を撮像して、その画像信号を中央制御部１１に出力し、この中央制御部１１の制御の下、当該画像信号を圧縮符号化して記憶部１３の所要領域（不図示の撮影済み画像記憶領域）に記憶保存する。
【００３４】
リモコン送信部２３は、この携帯電話機１を外部のＡＶ機器（図１のＡＶ機器２参照）を遠隔操作するためのリモコンとして動作させるためのものである。遠隔操作媒体としては、赤外線や電波等のワイヤレス媒体３、または、専用のケーブル４を介して行われる有線媒体のいずれであってもよく、あるいはその双方であってもよい。この図において、赤外線発光部２３ａはワイヤレス媒体３に用いられるものの代表を示し、また、コネクタ２３ｂは必要に応じてケーブル４を接続して用いられる有線媒体のためのものを示している。
【００３５】
スタイル検出部２４は、この携帯電話機１の使用スタイルを検出するためのものである。“使用スタイル”とは、携帯電話機１の見た目の形、すなわち、持ち運びの際のスタイル（後述のクローズスタイル）、通話中のスタイル（後述のオープンスタイル）、または、メールやインターネット及びニュース等の閲覧中もしくはテレビ放送視聴中のスタイル（後述のビュースタイル）などを指す。
【００３６】
図３は、携帯電話機１の外観図である。この図において、携帯電話機１は、特にそれに限定されないが、たとえば、その機器本体（装置本体）を構成する複数の筐体の連結状態に応じて複数のスタイル（見た目の形）に変更可能な２軸ヒンジタイプであり、操作部筐体１Ａと表示部筐体１Ｂとは、折り畳み開閉自在及び回動自在にヒンジ部１Ｃを介して連結されている。ヒンジ部１Ｃには操作部筐体１Ａと表示部筐体１Ｂとを折り畳み開閉するための開閉用ヒンジ軸が設けられているほか、この開閉用ヒンジ軸と略直交して、一方の筐体を他方の筐体に対して回動するための回動用ヒンジ軸とが設けられている。
【００３７】
このような２軸ヒンジタイプの携帯電話機１は、操作部筐体１Ａと表示部筐体１Ｂとが、どのように連結されているかに応じて携帯電話機１の形態を複数の使用スタイル（クローズスタイル、オープンスタイル、ビュースタイルなど）に変更可能なもので、図３（ａ）は、操作部筐体１Ａと表示部筐体１Ｂとの折り畳みを開いた状態のオープンスタイルを示している。操作部筐体１Ａの内面には、操作部１９が配置され、また、表示部筐体１Ｂの内面には、表示部１８が配置されているほか、操作部筐体１Ａの内面側には、通話用マイクＭＣが配置され、表示部筐体１Ｂの内面には、通話用スピーカＳＰが配置されている。図３（ｂ）は、オープンスタイルにおいて表示部筐体１Ｂを１８０度反転させてから折り畳んだ状態のビュースタイルを示している。このように、オープンスタイルで内側となっていた表示部１８は、ビュースタイルでは外側に向くようになる。
【００３８】
現在の使用スタイルがクローズスタイル、オープンスタイル、ビュースタイルなどのいずれになっているかは、スタイル検出部２４によって検出される。このスタイル検出部２４は、たとえば、ヒンジ部１Ｃに内蔵されたセンサ等によって構成することができる。ヒンジ部１Ｃの動きから、前記のクローズスタイル、オープンスタイル、ビュースタイルなどを区別できるからである。
【００３９】
また、携帯電話機１の操作部筐体１Ａの上端面には、図３（ｃ）に示すように、赤外線発光部２３ａの発光面が露出しており、この携帯電話機１をリモコンとして用いる際には、この発光面を遠隔操作対象機器（例：図１のＡＶ機器２）に向けて操作部１９で所要の操作を行うことにより、当該機器の電源オンオフやその他の動作（チャンネル番号合わせ、音量調節など）をコントロールすることができるようになっている。
【００４０】
また、携帯電話機１の操作部筐体１Ａの下端面には、図３（ｄ）に示すように、コネクタ２３ｂが設けられており、この携帯電話機１を有線リモコンとして用いる際には、このコネクタ２３ｂに、遠隔操作対象機器（例：図１のＡＶ機器２）から延びるケーブル４を接続し、操作部１９で所要の操作を行うことにより、当該機器の電源オンオフやその他の動作をコントロールすることができるようになっている。なお、このコネクタ２３ｂはリモコン専用のものであっても構わないが、実用上は、電池部１２の充電端子や、パソコン等の外部情報処理機器との間のデータ入出力端子と兼用することが好ましい。
【００４１】
図４は、表示部１８の表示例を示す図である。この図において、表示部１８の表示画面は、その上端部分を、電波の強さを示す電波アイコン２５、電池残量を示す電池アイコン２６、メール着信を示すメールアイコン２７及び現在時刻を示す時刻アイコン２８などの、いわゆるピクト情報を表示するピクト表示領域２９とすると共に、それ以外を待受け画像等の各種画像や電話の発着信情報、メールの作成及び閲覧画面、インターネットコンテンツの閲覧画面、メニュー画面などの表示情報を表示する画像表示領域３０としているが、これは一例である。たとえば、画像表示領域３０を表示部１８のほぼ全域とし、電波アイコン２５や電池アイコン２６、メールアイコン２７及び時刻アイコン２８などのピクト情報を、その画像表示領域３０の上に重畳表示させるようにしてもよい。
【００４２】
ここで、図示の画像表示領域３０は待ち受け中のものであり、たとえば、任意の待受け画像３１（ここでは富士山の画像）と、その待受け画像３１の下部に重畳表示された横長矩形状のニュース表示領域３２とからなる例を示している。ニュース表示領域３２は、待受けの間、その内容を一方向にスクロール（一般的には右から左にスクロール）させながら様々なニュースの抄録（タイトル：ニュースの内容を短く要約したもの）を表示するためのものである。なお、このニュース表示領域３２を選択した状態で、操作部１９で所要の操作を行うことにより、画像表示領域３０に、ニュースの内容を詳しく表示するためのニュース画面（不図示）を開くことができるようになっている。
【００４３】
図５は、ニュース情報記憶部Ｍ３を説明するための図である。
ニュース情報記憶部Ｍ３は、無線通信部１５を介して時々刻々と受信されるニュース情報を各ニュースごとにレコード単位で記憶するものであり、各レコードには、それらのニュースの受信日時や、ジャンル、タイトル、本文などを格納するためのフィールドが設けられている。ここで、ジャンルとはニュースを大まかに分類するための属性であり、たとえば、スポーツ、社会、経済といった大分類と、それらの大分類をさらに区分した中分類（例；スポーツの中のサッカーまたはプロ野球など）とからなっている。タイトルは、待受け中において、表示部１８の画像表示領域３０のニュース表示領域３２にスクロール表示させるためのものであり、本文は、ユーザによって所定の操作が行われたときに、画像表示領域３０に開かれるニュース画面に表示するためのものである。なお、図示の例においては、受信日時やタイトル及び本文をアスタリスク記号（＊）で埋めているが、これは図示上の都合である。実際には、アスタリスク記号ではなく、受信日時情報（例：２００９，７．１０  １１：４３等）や、タイトル及び本文のテキスト情報が格納される。
【００４４】
図６は、番組情報記憶部Ｍ４を説明するための図である。
番組情報記憶部Ｍ４は、テレビ放送受信部１７を介して受信されるテレビ放送の番組情報（ＥＰＧ：電子番組表）を各番組ごとにレコード単位で記憶するものであり、各レコードには、それらの番組の受信日時（放送予定日時と時間帯）や、ジャンル、番組詳細などを格納するためのフィールドが設けられている。ここで、ジャンルとは番組を大まかに分類するための属性であり、たとえば、バラエティ、映画、スポーツ、ドラマといった大分類と、それらの大分類をさらに区分した中分類（例；スポーツの中のサッカーまたはプロ野球など）とからなっている。番組詳細は、番組名やチャンネル番号、放送日時、放送時間帯、出演者及びその番組説明などを含む。なお、図示の例においても、受信日時や番組詳細をアスタリスク記号（＊）で埋めているが、これも図示上の都合である。実際には、アスタリスク記号ではなく、受信日時情報（例：２００９，７．１０  １１：４３等）や、番組詳細のテキスト情報が格納される。
【００４５】
図７は、指定キーワード記憶部Ｍ５を説明するための図である。
指定キーワード記憶部Ｍ５は、ニュースや番組情報中に出現する特定情報（または、出現の可能性がある特定情報）に対応する様々なキーワードを記憶するためのものであり、これらのキーワードは、工場出荷時にあらかじめ既定値として格納されたものであってもよいが、これに限らず、ユーザによってこれらの既定値を元に変更が加えられたものであってもよく、あるいは、ユーザによって新規に追加されたものであってもよい。キーワードは、各キーワードごとにレコード単位で記憶されており、各レコードには、それらのキーワードを一意に識別するためのＩＤや、キーワード内容、及び、そのキーワード内容に対応する属性が格納されている。キーワード内容は任意であるが、ここでは、一例として“サッカー”、“マイケルジャクソン”、“株価”、“インフルエンザ”とする。また、属性とは、それらのキーワード内容の適用範囲を示し、たとえば、“サッカー”はスポーツを含む「ジャンル」、“マイケルジャクソン”は「出演者」、“株価”や“インフルエンザ”はニュースの「全体」を示す。
【００４６】
図８は、条件記憶部Ｍ６を説明するための図である。
条件記憶部Ｍ６は、携帯電話機１を「テレビ受信機」として動作させるか、または、外部のＡＶ機器２を遠隔操作するための「リモコン」として動作させるか、もしくは、その双方として動作させるかを決めるための諸々の条件を記憶するものである。図示の条件記憶部Ｍ６の構造は一例であるが、たとえば、“キーワード”、“スタイル”、“動作中の機能”、“電池残量”、“時間帯”、“位置”の６つの「項目」と、それらの項目に対応した「内容」及び「設定フラグ」とからなっている。内容はさらに「テレビ機能」と「リモコン機能」に分かれており、それぞれに、機能（テレビ機能またはリモコン機能）の選択条件と、それらの機能（テレビ機能またはリモコン機能）を選択した際に適用するチャネル番号とが格納されている。なお、チャンネル番号とは、テレビ放送を受信側で選局するためのリモコンボタン番号（地デジ放送では１〜１２の番号／リモコンＩＤまたはリモコンキーＩＤともいう。）のことをいう。設定フラグは、“１”と“０”のブーリアン（二値）情報であり、“１”は選択、“０”は非選択を示す。この設定フラグは、必要に応じて表示部１８に表示される不図示のインターフェース画面により、ユーザによって任意に設定できるようになっており、たとえば、図示の例においては、現在、項目の“キーワード”が有効になっている。
【００４７】
項目の“キーワード”は、ユーザによって任意に設定される、テレビ機能とリモコン機能の各々に対応したキーワード関連の条件であり、図示の例では、「テレビ機能」に“Ａ０３”とチャンネル番号“１”、“Ａ０４”とチャンネル番号“１２”・・・・が格納されており、また、「リモコン機能」に“Ａ０１”とチャンネル番号“８”、“Ａ０２”とチャンネル番号“１０”・・・・が格納されている。“Ａ０３”、“Ａ０４”、“Ａ０１”、“Ａ０２”は、図７の指定キーワード記憶部Ｍ５のＩＤである。したがって、“Ａ０３”は“株価”というキーワード内容と“全体”という属性を示し、また、“Ａ０４”は“インフルエンザ”というキーワード内容と“全体”という属性を示し、また、“Ａ０１”は“サッカー”というキーワード内容と“ジャンル”という属性を示し、また、“Ａ０２”は“マイケルジャクソン”というキーワード内容と“出演者”という属性を示す。
【００４８】
項目の“スタイル”は、携帯電話機１の使用スタイル、つまり、クローズスタイルやオープンスタイル及びビュースタイルなどのことをいう。図示の例では、「テレビ機能」の選択条件として「オープンスタイル」と「ビュースタイル」が、また、「リモコン機能」の選択条件として「クローズスタイル」が設定されている。これは、携帯電話機１の使用スタイルがオープンスタイルまたはビュースタイルの場合は、携帯電話機１の表示部１８の表示面が表に出ているために、この表示面にテレビ放送を表示しても差し支えないからであり、一方、携帯電話機１の使用スタイルがクローズスタイルの場合は、携帯電話機１の表示部１８の表示面が表に出ていないために、この表示面にテレビ放送を表示しても意味をなさず、むしろ、携帯電話機１をリモコンとして活用し、外部のＡＶ機器２を遠隔操作する方が理にかなっているからである。
【００４９】
項目の“動作中の機能”は、携帯電話機１で動作している最中の機能、たとえば、着信待受け機能やテレビ受信機能、または、その他の機能のことをいう。図示の例では、「テレビ機能」の選択条件として「待ち受け状態」と「テレビ機能動作中」が、また、「リモコン機能」の選択条件として「その他の機能の実行中」が設定されている。これは、携帯電話機１のテレビ機能が動作中はもちろんのこと、携帯電話機１が待受け中の場合も携帯電話機１をテレビ受信機として用いても差し支えないからであり、一方、携帯電話機１でその他の機能、たとえば、通話を行っている最中（つまり、通話機能動作中の場合）にテレビ機能を起動すると、通話に支障をきたすからであり、むしろ、その場合は携帯電話機１をリモコンとして活用し、外部のＡＶ機器２を遠隔操作するのが実用に即しているからである。
【００５０】
項目の“電池残量”は、携帯電話機１の電池残量、すなわち、電池部１２に含まれる電池の充電残量のことをいう。図示の例では、「テレビ機能」の選択条件として「残量充分」が、また、「リモコン機能」の選択条件として「残量少」が設定されている。「残量充分」とは、電池の充電残量が充分ある（たとえば、充電警告が出ていない。）ことを意味し、「残量少」とは、電池の充電残量が僅かである（たとえば、充電警告が出ている。）ことを意味する。「リモコン機能」の選択条件に「残量少」を設定した理由は、携帯電話機１のテレビ機能はリモコン機能に比べて格段に電力消費が多く、このような場合（電池の充電残量が僅かである場合）にテレビ機能を起動してしまうと早々に電池の消耗を招き、結局は、携帯電話機１の本来の機能（通話機能）を喪失してしまうからであり、したがって、電池の充電残量が僅かである場合にテレビ放送を視聴しようとする際には、携帯電話機１のテレビ機能を起動せず、その代わりに携帯電話機１をリモコンとして用い、外部のＡＶ機器２を起動してテレビ放送を視聴すればよいからである。
【００５１】
項目の“時間帯”は、携帯電話機１の使用時間帯のことをいい、より詳細には、たとえば、在宅中で且つ起床中の時間帯（在宅時間帯）や、外出中の時間帯（外出時間帯）のことをいう。図示の例では「リモコン機能」の選択条件として「在宅時間帯（起床後）」と「在宅時間帯（就寝前）」を、また、「テレビ機能」の選択条件として「外出時間帯」を設定している。なお、「在宅時間帯（起床後）」は、たとえば、６：００〜７：００であり、「在宅時間帯（就寝前）」は、たとえば、２０：００〜２４：００である。また、「外出時間帯」は、就寝中と在宅中を除く時間帯である。
【００５２】
このように、「リモコン機能」に「在宅時間帯（起床後）」と「在宅時間帯（就寝前）」を、また、「テレビ機能」に「外出時間帯」を設定した理由は、外出中の時間帯にテレビ放送を視聴する場合は手元のテレビ機能（携帯電話機１のテレビ機能）を利用するのが便利だからであり、一方、在宅中で且つ起床中の時間帯にテレビ放送を視聴する場合は自宅のテレビ受信機を見るのが自然で、その際に携帯電話機１をリモコンとして利用すれば、いちいちテレビのリモコンを探し出す必要がないからである。
【００５３】
項目の“位置”は、携帯電話機１の使用場所のことをいい、たとえば、在宅中であるか外出中であるかのことをいう。図示の例では、「テレビ機能」と「リモコン機能」の選択条件に「自宅及びその周辺の位置情報」と「自宅及びその周辺以外の位置情報」とを適用している。つまり、「リモコン機能」の選択条件として「自宅及びその周辺の位置情報」が、また、「テレビ機能」の選択条件として「自宅及びその周辺以外の位置情報」が設定されている。これは、自宅及びその周辺以外（つまり、外出先）でテレビ放送を視聴する場合は手元のテレビ（携帯電話機１のテレビ機能）を利用するのが便利だからであり、一方、自宅でテレビ放送を視聴する場合は、自宅のテレビ受信機を見るのが自然だからであり、その場合に携帯電話機１をリモコンとして利用すれば、いちいちテレビのリモコンを探し出す必要がないからである。なお、「リモコン機能」の選択条件に「自宅の位置情報」ではなく「自宅及びその周辺の位置情報」としている（“その周辺”を加えている）のは、位置の検出精度を考慮したためである。“自宅”にいる→テレビ放送を視聴したい→携帯電話機１のリモコン機能を起動する→そのリモコンを用いて“自宅”のテレビ受信機を遠隔操作する、という流れになるはずであるから、正確に自宅の位置を検出することができるのであれば、上記の設定条件「自宅及びその周辺・・・・」を単に「自宅の・・・・」と読み替えてもかまわない。
【００５４】
次に、本実施形態における携帯電話機１の動作概要を図９〜図１４に示すフローチャートを参照して説明する。これらのフローチャートに記述されている各機能は、読み取り可能なプログラムコードの形態で格納されており、このプログラムコードに従った動作が中央制御部１１において逐次実行される。また、伝送媒体を介して伝送されてきた上述のプログラムコードに従った動作を逐次実行することもできる。すなわち、記録媒体のほかに、ネットワークなどの伝送媒体を介して外部供給されたプログラム／データを利用して本実施形態特有の動作を実行することもできる。
【００５５】
図９は、電源投入に伴って実行開始される携帯電話機１側の全体動作の概要を示したフローチャート（以下、メインフローともいう。）である。先ず、携帯電話機１の中央制御部１１は、電源を投入する電源オン操作が行われると（ステップＳ１でＹＥＳ）、電源供給を開始させて所定のメモリなどを初期化する電源オン処理を実行したのち、基地局５Ａとの間で通信を行って位置登録をしたりする待受処理、ならびに、表示部１８に待受画像等を表示するための待受画像表示処理を行う（ステップＳ２）。
【００５６】
次いで、ユーザによる操作や電話着信の有無判定（ステップＳ３、ステップＳ５、ステップＳ７、ステップＳ９、ステップＳ１１）を行う。すなわち、まず、ステップ３で、ユーザによる所定の設定操作（指定キーワード記憶部Ｍ５に設定する指定キーワード等の登録操作や編集操作、及び、条件記憶部Ｍ６に設定する諸条件の登録操作や編集操作）の有無を判定し、設定操作が行われた場合には、ステップＳ４でその設定操作に対応した設定処理（後述する）を実行した後、再び、ステップＳ３に戻る。また、設定操作が行われなかった場合は、ステップＳ５で、ニュース／番組情報の受信有無を判定し、ニュース／番組情報が受信されている場合は、ステップＳ６で、そのニュース／番組情報の受信処理（後述する）を実行した後、再び、ステップＳ３に戻る。
【００５７】
また、ニュース／番組情報が受信されていない場合は、ステップＳ７で、電話の着信判定を行い、電話着信であれば、ステップＳ８で通話処理を実行した後、再び、ステップＳ３に戻る。また、電話着信でなければ、ステップＳ９で携帯電話機１の電源オフ操作を判定し、電源オフ操作であれば、ステップＳ１０で電源オフ処理を実行した後、メインフローを終了する。また、電源オフ操作でなければ、ステップＳ１１でその他の操作を判定し、その他の操作であれば、ステップＳ１２でその他の処理を実行した後、再び、ステップＳ３に戻り、その他の操作でない場合も、再び、ステップＳ３に戻る。
【００５８】
図１０は、設定処理（図９のステップＳ４）の詳細フローチャートである。この設定処理では、ユーザによる操作部１９の操作入力に応答して「キーワード設定」と「条件設定」のいずれかに分岐し（ステップＳ２１）、各々の分岐処理を実行する。
【００５９】
＜キーワード設定＞
この場合は、まず、キーワード設定用の画面を表示部１８に表示（ステップＳ２２）してキーワード追加であるか否かを判定（ステップＳ２３）し、キーワード追加であれば、ユーザによって追加されたキーワードと属性を指定キーワード記憶部Ｍ５に新規登録（ステップＳ２４）した後、キーワード更新であるか否かを判定し（ステップＳ２５）、一方、キーワード追加でなければ、そのまま、キーワード更新であるか否かを判定する（ステップＳ２５）。そして、キーワード更新であれば、指定キーワード記憶部Ｍ５を更新（ステップＳ２６）した後、設定終了を判定し（ステップＳ２７）、設定終了でなければ、ステップＳ２１に戻り、設定終了であれば、図９のメインフローに戻る。
【００６０】
＜条件設定＞
この場合は、まず、条件設定用の画面を表示部１８に表示（ステップＳ２８）して条件追加であるか否かを判定（ステップＳ２９）し、条件追加であれば、ユーザによって追加された条件を条件記憶部Ｍ６に新規登録（ステップＳ３０）した後、条件更新であるか否かを判定し（ステップＳ３１）、一方、条件追加でなければ、そのまま、条件更新であるか否かを判定する（ステップＳ３１）。そして、条件更新であれば、条件記憶部Ｍ６を更新（ステップＳ３２）した後、設定終了を判定し（ステップＳ３３）、設定終了でなければ、ステップＳ２１に戻り、設定終了であれば、図９のメインフローに戻る。
【００６１】
図１１及び図１２は、受信処理（図９のステップＳ６）の詳細フローチャートである。この受信処理では、まず、受信したニュース／番組情報をニュース情報記憶部Ｍ３と番組情報記憶部Ｍ４に記憶（ステップＳ４０）するとともに、それらのニュース／番組情報を表示部１８に表示する（ステップＳ４１）。たとえば、図４のようにスクロール表示する。
【００６２】
次いで、指定キーワード記憶部Ｍ５に記憶されているすべてのキーワードを読み出し（ステップＳ４２）、これらのキーワードに一致する特定情報が、先にニュース情報記憶部Ｍ３と番組情報記憶部Ｍ４に記憶しておいたニュース／番組情報の中に存在するか否かを判定する（ステップＳ４３、ステップＳ４４）。
【００６３】
一致する特定情報が存在しない場合（ステップＳ４４のＮＯ）は、図９のメインフローに戻り、一致する特定情報が存在した場合（ステップＳ４４のＹＥＳ）は、次に、条件記憶部Ｍ６から設定フラグ＝１の条件を読み出す（ステップＳ４５）。
【００６４】
今、図８の条件記憶部Ｍ６においては、項目＝“キーワード”の設定フラグが“１”になっているので、この場合、条件記憶部Ｍ６から読み出される条件は、項目＝“キーワード”の内容、すなわち、テレビ機能の場合は「Ａ０３」とチャンネル番号の「１」や「Ａ０４」とチャンネル番号の「１２」・・・・、リモコン機能の場合は「Ａ０１」とチャンネル番号の「８」や「Ａ０２」とチャンネル番号の「１０」・・・・である。
【００６５】
または、図８の条件記憶部Ｍ６において、項目＝“スタイル”の設定フラグが“１”になっている場合、条件記憶部Ｍ６から読み出される条件は、項目＝“スタイル”の内容、すなわち、テレビ機能の場合は「オープンスタイル」や「ビュースタイル」、リモコン機能の場合は「クローズスタイル」である。
【００６６】
または、図８の条件記憶部Ｍ６において、項目＝“動作中の機能”の設定フラグが“１”になっている場合、条件記憶部Ｍ６から読み出される条件は、項目＝“動作中の機能”の内容、すなわち、テレビ機能の場合は「待ち受け状態」や「テレビ機能動作中」、リモコン機能の場合は「その他の機能動作中」である。
【００６７】
または、図８の条件記憶部Ｍ６において、項目＝“電池残量”の設定フラグが“１”になっている場合、条件記憶部Ｍ６から読み出される条件は、項目＝“電池残量”の内容、すなわち、テレビ機能の場合は「残量充分」、リモコン機能の場合は「残量少」である。
【００６８】
または、図８の条件記憶部Ｍ６において、項目＝“時間帯”の設定フラグが“１”になっている場合、条件記憶部Ｍ６から読み出される条件は、項目＝“時間帯”の内容、すなわち、テレビ機能の場合は「外出時間帯」、リモコン機能の場合は「在宅時間帯（起床後）」や「在宅時間帯（就寝前）」である。
【００６９】
または、図８の条件記憶部Ｍ６において、項目＝“位置”の設定フラグが“１”になっている場合、条件記憶部Ｍ６から読み出される条件は、項目＝“位置”の内容、すなわち、テレビ機能の場合は「自宅及びその周辺以外の位置情報」、リモコン機能の場合は「自宅及びその周辺の位置情報」である。
【００７０】
このようにして、条件記憶部Ｍ６から設定フラグ＝１の条件を読み出すと、次に、条件記憶部Ｍ６から読み出された条件（キーワード、スタイル、動作中の機能、電池残量、時間帯、位置）ごとに処理を分岐する（ステップＳ４６、ステップＳ５５、ステップＳ５９、ステップＳ６３、ステップＳ６７）。
【００７１】
＜条件が「キーワード」の場合＞
条件記憶部Ｍ６から読み出された条件が“キーワード”の場合（ステップＳ４６のＹＥＳ）は、まず、条件記憶部Ｍ６から読み出した条件のうちのキーワード関連の条件（図８の例ではテレビ機能→「Ａ０３」と「Ａ０４」、リモコン機能→「Ａ０１」と「Ａ０２」）を手がかりにして、指定キーワード記憶部Ｍ５を参照し、それらの「Ａ０３」、「Ａ０４」、「Ａ０１」、「Ａ０２」に対応した指定キーワードを取り出す（ステップＳ４７）。具体的には、「Ａ０３」に対応した“株価”、「Ａ０４」に対応した“インフルエンザ”、「Ａ０１」に対応した“サッカー”、「Ａ０２」に対応した“マイケルジャクソン”をそれぞれ取り出す。
【００７２】
次いで、それらの指定キーワード（“株価”、“インフルエンザ”、“サッカー”、“マイケルジャクソン”）と、前記のステップＳ４４で一致を判定した特定情報（ニュース／番組情報に含まれているもの）との照合をとり、一致するものがあるか否かを判定する（ステップＳ４８）。そして、一致するものがなかった場合（ステップＳ４８でＮＯ）は、図９のメインフローに戻り、一致するものがあった場合（ステップＳ４８でＹＥＳ）は、次に、一致した指定キーワードに対応する機能（テレビ機能またはリモコン機能）を条件記憶部Ｍ６から読み出す（ステップＳ４９）と共に、一致した指定キーワードに対応する受信チャンネル番号を条件記憶部Ｍ６から読み出し（ステップＳ５０）、その機能（テレビ機能またはリモコン機能）と受信チャンネル番号を各種情報一時記憶部Ｍ２に一時記憶する（ステップＳ５１）。
【００７３】
たとえば、前記のステップＳ４４で一致を判定した特定情報が“株価”であった場合を想定すると、この“株価”と、項目“キーワード”の「テレビ機能」の「Ａ０３」（“株価”）とが一致するので、この場合、条件記憶部Ｍ６から読み出される機能は「テレビ機能」になる。あるいは、前記のステップＳ４４で一致を判定した特定情報が“サッカー”であった場合を想定すると、この“サッカー”と、項目“キーワード”の「リモコン機能」の「Ａ０１」（“サッカー”）とが一致するので、この場合、条件記憶部Ｍ６から読み出される機能は「リモコン機能」になる。
【００７４】
次いで、条件記憶部Ｍ６から読み出した機能が「テレビ機能」であるか、または、「リモコン機能」であるか、もしくはその双方であるかを判定し（ステップＳ５２）、その判定結果がテレビ機能であれば、テレビ機能処理（ステップＳ５３）を実行した後、再び、図９のメインフローに戻り、一方、リモコン機能であれば、リモコン機能処理（ステップＳ５４）を実行した後、再び、図９のメインフローに戻り、もしくは、その双方（テレビ機能とリモコン機能）であれば、テレビ処理機能（ステップＳ５３）とリモコン処理機能（ステップＳ５４）の双方を実行した後、再び、図９のメインフローに戻る。
【００７５】
＜条件が「スタイル」の場合＞
条件記憶部Ｍ６から読み出された条件が“スタイル”の場合（ステップＳ５５のＹＥＳ）は、まず、スタイル検出部２４を用いて携帯電話機１の現在の使用スタイルを検出し（ステップＳ５６）、その使用スタイルに対応する機能（テレビ機能またはリモコン機能）を条件記憶部Ｍ６から読み出す（ステップＳ５７）と共に、その使用スタイルに対応する受信チャンネル番号を条件記憶部Ｍ６から読み出し（ステップＳ５８）、その機能（テレビ機能またはリモコン機能）と受信チャンネル番号を各種情報一時記憶部Ｍ２に一時記憶する（ステップＳ５１）。次いで、条件記憶部Ｍ６から読み出した機能が「テレビ機能」であるか、または、「リモコン機能」であるか、もしくはその双方であるかを判定し（ステップＳ５２）、その判定結果がテレビ機能であれば、テレビ機能処理（ステップＳ５３）を実行した後、再び、図９のメインフローに戻り、一方、リモコン機能であれば、リモコン機能処理（ステップＳ５４）を実行した後、再び、図９のメインフローに戻り、もしくは、その双方（テレビ機能とリモコン機能）であれば、テレビ処理機能（ステップＳ５３）とリモコン処理機能（ステップＳ５４）の双方を実行した後、再び、図９のメインフローに戻る。
【００７６】
＜条件が「動作中の機能」の場合＞
条件記憶部Ｍ６から読み出された条件が“動作中の機能”の場合（ステップＳ５９のＹＥＳ）は、まず、携帯電話機１の現在の機能動作状況を検出し（ステップＳ６０）、その機能動作状況に対応する機能（テレビ機能またはリモコン機能）を条件記憶部Ｍ６から読み出す（ステップＳ６１）と共に、その機能動作状況に対応する受信チャンネル番号を条件記憶部Ｍ６から読み出し（ステップＳ６２）、その機能（テレビ機能またはリモコン機能）と受信チャンネル番号を各種情報一時記憶部Ｍ２に一時記憶する（ステップＳ５１）。次いで、条件記憶部Ｍ６から読み出した機能が「テレビ機能」であるか、または、「リモコン機能」であるか、もしくはその双方であるかを判定し（ステップＳ５２）、その判定結果がテレビ機能であれば、テレビ機能処理（ステップＳ５３）を実行した後、再び、図９のメインフローに戻り、一方、リモコン機能であれば、リモコン機能処理（ステップＳ５４）を実行した後、再び、図９のメインフローに戻り、もしくは、その双方（テレビ機能とリモコン機能）であれば、テレビ処理機能（ステップＳ５３）とリモコン処理機能（ステップＳ５４）の双方を実行した後、再び、図９のメインフローに戻る。
【００７７】
＜条件が「電池残量」の場合＞
条件記憶部Ｍ６から読み出された条件が“電池残量”の場合（ステップＳ６３のＹＥＳ）は、まず、電池部１２の電池の残量を検出し（ステップＳ６４）、その電池残量に対応する機能（テレビ機能またはリモコン機能）を条件記憶部Ｍ６から読み出す（ステップＳ６５）と共に、その電池残量に対応する受信チャンネル番号を条件記憶部Ｍ６から読み出し（ステップＳ６６）、その機能（テレビ機能またはリモコン機能）と受信チャンネル番号を各種情報一時記憶部Ｍ２に一時記憶する（ステップＳ５１）。次いで、条件記憶部Ｍ６から読み出した機能が「テレビ機能」であるか、または、「リモコン機能」であるか、もしくはその双方であるかを判定し（ステップＳ５２）、その判定結果がテレビ機能であれば、テレビ機能処理（ステップＳ５３）を実行した後、再び、図９のメインフローに戻り、一方、リモコン機能であれば、リモコン機能処理（ステップＳ５４）を実行した後、再び、図９のメインフローに戻り、もしくは、その双方（テレビ機能とリモコン機能）であれば、テレビ処理機能（ステップＳ５３）とリモコン処理機能（ステップＳ５４）の双方を実行した後、再び、図９のメインフローに戻る。
【００７８】
＜条件が「時間帯」の場合＞
条件記憶部Ｍ６から読み出された条件が“時間帯”の場合（ステップＳ６７のＹＥＳ）は、まず、ＲＴＣ２０から現在の時刻情報を取得し（ステップＳ６８）、その時刻情報に対応する機能（テレビ機能またはリモコン機能）を条件記憶部Ｍ６から読み出す（ステップＳ６９）と共に、その時刻情報に対応する受信チャンネル番号を条件記憶部Ｍ６から読み出し（ステップＳ７０）、その機能（テレビ機能またはリモコン機能）と受信チャンネル番号を各種情報一時記憶部Ｍ２に一時記憶する（ステップＳ５１）。次いで、条件記憶部Ｍ６から読み出した機能が「テレビ機能」であるか、または、「リモコン機能」であるか、もしくはその双方であるかを判定し（ステップＳ５２）、その判定結果がテレビ機能であれば、テレビ機能処理（ステップＳ５３）を実行した後、再び、図９のメインフローに戻り、一方、リモコン機能であれば、リモコン機能処理（ステップＳ５４）を実行した後、再び、図９のメインフローに戻り、もしくは、その双方（テレビ機能とリモコン機能）であれば、テレビ処理機能（ステップＳ５３）とリモコン処理機能（ステップＳ５４）の双方を実行した後、再び、図９のメインフローに戻る。
【００７９】
＜条件が「位置」の場合＞
または、条件記憶部Ｍ６から読み出された条件が“時間帯”でもない場合（ステップＳ６７のＮＯ）は、条件記憶部Ｍ６から読み出された条件が“位置”であるとみなし、まず、ＧＰＳ受信部１４を用いて携帯電話機１の現在の位置情報を取得し（ステップＳ７１）、その位置情報に対応する機能（テレビ機能またはリモコン機能）を条件記憶部Ｍ６から読み出す（ステップＳ７２）と共に、その位置情報に対応する受信チャンネル番号を条件記憶部Ｍ６から読み出し（ステップＳ７３）、その機能（テレビ機能またはリモコン機能）と受信チャンネル番号を各種情報一時記憶部Ｍ２に一時記憶する（ステップＳ５１）。次いで、条件記憶部Ｍ６から読み出した機能が「テレビ機能」であるか、または、「リモコン機能」であるか、もしくはその双方であるかを判定し（ステップＳ５２）、その判定結果がテレビ機能であれば、テレビ機能処理（ステップＳ５３）を実行した後、再び、図９のメインフローに戻り、一方、リモコン機能であれば、リモコン機能処理（ステップＳ５４）を実行した後、再び、図９のメインフローに戻り、もしくは、その双方（テレビ機能とリモコン機能）であれば、テレビ処理機能（ステップＳ５３）とリモコン処理機能（ステップＳ５４）の双方を実行した後、再び、図９のメインフローに戻る。
【００８０】
図１３は、テレビ機能処理（図１１のステップＳ５３）の詳細フローチャートである。このテレビ機能処理では、まず、携帯電話機１のテレビ機能を起動（テレビ放送受信部１７に電源を供給してその動作をオンにする。）し、テレビ局８の送信アンテナ９からの電波を受信可能な状態にする（ステップＳ８０）。次いで、先の受信処理（図１１のステップＳ５１）で各種情報一時記憶部Ｍ２に一時記憶しておいた「受信チャンネル番号」を読出し（ステップＳ８１）、その受信チャンネル番号が有効であるか否かを判定する（ステップＳ８２）。ここで、有効なチャンネル番号とは、リモコンボタン番号（１〜１２の番号）に該当するチャンネル番号のことをいう。
【００８１】
ステップＳ７１で、有効なチャンネル番号が判定された場合、すなわち、１〜１２のいずれかのチャンネル番号が判定された場合は、携帯電話機１のテレビ放送受信部１７にそのチャンネル番号を設定してテレビ放送受信部１７の受信チャンネルを切り替え（ステップＳ８３）、当該チャンネル番号のテレビ放送の受信（ステップＳ８４）を開始するとともに、そのテレビ放送を表示部１８と音声信号処理部１６に出力して当該テレビ放送の視聴を開始（ステップＳ８５）した後、ユーザにより操作部１９における各種操作が行われたか否かを判定する（ステップＳ８６）。一方、ステップＳ８２で、有効なチャンネル番号が判定されなかった場合は、以上のステップＳ８３〜ステップＳ８５を実行せずに、直接、ユーザにより操作部１９における各種操作が行われたか否かを判定する（ステップＳ８６）。
【００８２】
そして、ステップＳ８６でＹＥＳが判定された場合、すなわち、ユーザにより操作部１９における各種操作が行われた場合は、その操作に対応した処理を実行（ステップＳ８７）した後、再び、ステップＳ８６に戻り、一方、ステップＳ８６でＹＥＳが判定されなかった場合、すなわち、ユーザにより操作部１９における各種操作が行われなかった場合は、次に、ユーザによるテレビ機能の終了操作を判定し（ステップＳ８８）、終了操作が行われていない場合はステップＳ８６に戻り、終了操作が行われた場合は、テレビ放送の表示と音声出力を停止（ステップＳ８９）すると共に、テレビ放送受信部１７の動作の停止（ステップＳ９０）と、テレビ機能の終了（ステップＳ９１）とを実行してから、図１１の受信処理に戻る。
【００８３】
図１４は、リモコン機能処理（図１１のステップＳ５４）の詳細フローチャートである。このリモコン機能処理では、まず、携帯電話機１のリモコン送信部２３に電源を供給してその動作をオンにし（ステップＳ９２）、リモコン送信部２３から外部ＡＶ機器２への電源オン信号を送信（ステップＳ９３）した後、先の受信処理（図１１のステップＳ５１）で各種情報一時記憶部Ｍ２に一時記憶しておいた「受信チャンネル番号」を読出し（ステップＳ９４）、その受信チャンネル番号が有効であるか否かを判定する（ステップＳ９５）。
【００８４】
ステップＳ９５で、有効なチャンネル番号が判定された場合、すなわち、１〜１２のいずれかのチャンネル番号が判定された場合は、リモコン送信部２３から外部ＡＶ機器２に対して、そのチャンネル番号を送出（ステップＳ９６）した後、ユーザにより操作部１９における各種信号送出操作（たとえば、音量アップダウンの操作等）が行われたか否かを判定する（ステップＳ９７）。一方、ステップＳ９５で、有効なチャンネル番号が判定されなかった場合は、ステップＳ９６を実行せずに、直接、ユーザにより操作部１９における各種信号送出操作が行われたか否かを判定する（ステップＳ９７）。
【００８５】
そして、ステップＳ９７でＹＥＳが判定された場合、すなわち、ユーザにより操作部１９における各種信号送出操作が行われた場合は、その操作に対応した信号送出を実行（ステップＳ９８）した後、再び、ステップＳ９７に戻り、一方、ステップＳ９７でＹＥＳが判定されなかった場合、すなわち、ユーザにより操作部１９における各種信号送出操作が行われなかった場合は、次に、ユーザによるリモコン機能の終了操作を判定し（ステップＳ９９）、終了操作が行われていない場合はステップＳ９７に戻り、終了操作が行われた場合は、リモコン送信部２３の動作の停止してリモコン機能を終了（ステップＳ１００）してから、図１１の受信処理に戻る。
【００８６】
本実施形態における携帯電話機１の動作概要は、以上のとおりであるが、ここで、本実施形態の特徴的事項を図面を用いて概念的に説明する。
図１５は、本実施形態の特徴的事項を示す概念図である。
（０１）携帯電話機１で受信したニュースや番組情報を、それぞれニュース情報記憶部Ｍ３と番組情報記憶部Ｍ４に記憶する。
（０２）それらのニュースや番組情報と指定キーワード記憶部Ｍ５に記憶されている指定キーワードとを照合し、指定キーワードに一致する特定情報の有無を判定する。一致する特定情報が含まれていない場合は何もしない（特別な処理を行わない）。
（０３）含まれている場合は、条件記憶部Ｍ６から設定フラグ＝１の条件（キーワード、スタイル、動作中の機能、電池残量、時間帯、位置のいずれかの条件）を読み出し、その条件ごとに、以下に示すテレビ機能とリモコン機能の選択処理を実行する。
【００８７】
＜キーワードの場合の選択処理概要＞
条件記憶部Ｍ６の項目“キーワード”の内容を読み出し、その内容と、（０２）で一致を判定した特定情報とに従い、携帯電話機１の「テレビ機能」と「リモコン機能」のいずれを選択するか、または、その双方を選択するかを決定する。たとえば、（０２）で一致を判定した特定情報が“株価”である場合、条件記憶部Ｍ６の項目“キーワード”の内容のうちこの“株価”に対応するものはテレビ機能の「Ａ０３」であるから、この場合、「テレビ機能」に選択決定する。あるいは、（０２）で一致を判定した特定情報が“サッカー”である場合、条件記憶部Ｍ６の項目“キーワード”の内容のうちこの“サッカー”に対応するものはリモコン機能の「Ａ０１」であるから、この場合、「リモコン機能」に選択決定する。もしくは、条件記憶部Ｍ６の項目“キーワード”の内容において、そのテレビ機能とリモコン機能の双方に同一のもの（たとえば「Ａ０３」）が格納されていた場合は、「テレビ機能」と「リモコン機能」の双方を選択決定する。
このようにして、条件記憶部Ｍ６の項目“キーワード”の内容と、（０２）で一致を判定した特定情報とに従い、携帯電話機１の「テレビ機能」と「リモコン機能」のいずれか一方または双方を選択決定することができる。
【００８８】
＜スタイルの場合の選択処理概要＞
条件記憶部Ｍ６の項目“スタイル”の内容を読み出し、その内容と、現在の携帯電話機１のスタイルとに従い、携帯電話機１の「テレビ機能」と「リモコン機能」のいずれを選択するか、または、その双方を選択するかを決定する。たとえば、現在の携帯電話機１のスタイルが“オープンスタイル”である場合、条件記憶部Ｍ６の項目“スタイル”の内容のうちこの“オープンスタイル”に対応するものはテレビ機能の「オープンスタイル」であるから、この場合、「テレビ機能」に選択決定する。あるいは、現在の携帯電話機１のスタイルが“クローズスタイル”である場合、条件記憶部Ｍ６の項目“スタイル”の内容のうちこの“クローズスタイル”に対応するものはリモコン機能の「クローズスタイル」であるから、この場合、「リモコン機能」に選択決定する。もしくは、条件記憶部Ｍ６の項目“スタイル”の内容において、そのテレビ機能とリモコン機能の双方に同一のもの（たとえば「オープンスタイル」）が格納されていた場合は、「テレビ機能」と「リモコン機能」の双方を選択決定する。
このようにして、条件記憶部Ｍ６の項目“スタイル”の内容と、現在の携帯電話機１の実際の使用スタイルとに従い、携帯電話機１の「テレビ機能」と「リモコン機能」のいずれか一方または双方を選択決定することができる。
【００８９】
＜動作中の機能の場合の選択処理概要＞
条件記憶部Ｍ６の項目“動作中の機能”の内容を読み出し、その内容と、現在の携帯電話機１で動作中の機能とに従い、携帯電話機１の「テレビ機能」と「リモコン機能」のいずれを選択するか、または、その双方を選択するかを決定する。たとえば、現在の携帯電話機１で動作中の機能が“待受け”である場合、条件記憶部Ｍ６の項目“動作中の機能”の内容のうちこの“待受け”に対応するものはテレビ機能の「待受け状態」であるから、この場合、「テレビ機能」に選択決定する。あるいは、現在の携帯電話機１で動作中の機能が“その他の機能動作中”である場合、条件記憶部Ｍ６の項目“動作中の機能”の内容のうちこの“その他の機能動作中”に対応するものはリモコン機能の「その他の機能動作中」であるから、この場合、「リモコン機能」に選択決定する。もしくは、条件記憶部Ｍ６の項目“動作中の機能”の内容において、そのテレビ機能とリモコン機能の双方に同一のもの（たとえば「待受け」）が格納されていた場合は、「テレビ機能」と「リモコン機能」の双方を選択決定する。
このようにして、条件記憶部Ｍ６の項目“動作中の機能”の内容と、現在の携帯電話機１で動作中の機能とに従い、携帯電話機１の「テレビ機能」と「リモコン機能」のいずれか一方または双方を選択決定することができる。
【００９０】
＜電池残量の場合の選択処理概要＞
条件記憶部Ｍ６の項目“電池残量”の内容を読み出し、その内容と、現在の携帯電話機１の電池残量とに従い、携帯電話機１の「テレビ機能」と「リモコン機能」のいずれを選択するか、または、その双方を選択するかを決定する。たとえば、現在の携帯電話機１の電池残量が“充分”である場合、条件記憶部Ｍ６の項目“電池残量”の内容のうちこの“充分”に対応するものはテレビ機能の「残量充分」であるから、この場合、「テレビ機能」に選択決定する。あるいは、現在の携帯電話機１の電池残量が“僅か”である場合、条件記憶部Ｍ６の項目“電池残量”の内容のうちこの“僅か”に対応するものはリモコン機能の「残量少」であるから、この場合、「リモコン機能」に選択決定する。もしくは、条件記憶部Ｍ６の項目“電池残量”の内容において、そのテレビ機能とリモコン機能の双方に同一のもの（たとえば「残量充分」）が格納されていた場合は、「テレビ機能」と「リモコン機能」の双方を選択決定する。
このようにして、条件記憶部Ｍ６の項目“電池残量”の内容と、現在の携帯電話機１の電池残量とに従い、携帯電話機１の「テレビ機能」と「リモコン機能」のいずれか一方または双方を選択決定することができる。
【００９１】
＜時間帯の場合の選択処理概要＞
条件記憶部Ｍ６の項目“時間帯”の内容を読み出し、その内容と、現在の時間帯とに従い、携帯電話機１の「テレビ機能」と「リモコン機能」のいずれを選択するか、または、その双方を選択するかを決定する。たとえば、現在の時間帯が“外出時間帯”である場合、条件記憶部Ｍ６の項目“時間帯”の内容のうちこの“外出時間帯”に対応するものはテレビ機能の「外出時間帯」であるから、この場合、「テレビ機能」に選択決定する。あるいは、現在の時間帯が“在宅時間帯（起床後）または在宅時間帯（就寝前）”である場合、条件記憶部Ｍ６の項目“時間帯”の内容のうちこの“在宅時間帯（起床後）または在宅時間帯（就寝前）”に対応するものはリモコン機能の「在宅時間帯（起床後）」または「在宅時間帯（就寝前）」であるから、この場合、「リモコン機能」に選択決定する。もしくは、条件記憶部Ｍ６の項目“時間帯”の内容において、そのテレビ機能とリモコン機能の双方に同一のもの（たとえば「外出時間帯」）が格納されていた場合は、「テレビ機能」と「リモコン機能」の双方を選択決定する。
このようにして、条件記憶部Ｍ６の項目“時間帯”の内容と、現在の時間帯とに従い、携帯電話機１の「テレビ機能」と「リモコン機能」のいずれか一方または双方を選択決定することができる。
【００９２】
＜位置の場合の選択処理概要＞
条件記憶部Ｍ６の項目“位置”の内容を読み出し、その内容と、現在の位置とに従い、携帯電話機１の「テレビ機能」と「リモコン機能」のいずれを選択するか、または、その双方を選択するかを決定する。たとえば、現在の位置が“自宅から離れた街中”である場合、条件記憶部Ｍ６の項目“位置”の内容のうちこの“自宅から離れた街中”に対応するものはテレビ機能の「自宅及びその周辺以外の位置情報」であるから、この場合、「テレビ機能」に選択決定する。あるいは、現在の位置が“自宅”の場合、条件記憶部Ｍ６の項目“位置”の内容のうちこの“自宅”に対応するものはリモコン機能の「自宅及びその周辺の位置情報」であるから、この場合、「リモコン機能」に選択決定する。もしくは、条件記憶部Ｍ６の項目“位置”の内容において、そのテレビ機能とリモコン機能の双方に同一のもの（たとえば「自宅及びその周辺以外の位置情報」）が格納されていた場合は、「テレビ機能」と「リモコン機能」の双方を選択決定する。
このようにして、条件記憶部Ｍ６の項目“位置”の内容と、現在の位置とに従い、携帯電話機１の「テレビ機能」と「リモコン機能」のいずれか一方または双方を選択決定することができる。
【００９３】
このように、本実施形態においては、ニュース情報や番組情報を受信して、それらのニュース情報や番組情報を所定の場所（ニュース情報記憶部Ｍ３や番組情報記憶部Ｍ４）に記憶保持すると共に、その記憶情報に、所定のキーワード（指定キーワード記憶部Ｍ５に設定されている指定キーワード）に一致する特定情報が含まれている場合には、（Ａ）条件記憶部Ｍ６から設定フラグ＝１の条件、すなわち、キーワード、スタイル、動作中の機能、電池残量、時間帯、位置のいずれかの条件を読み出し、（Ｂ）その条件に対応した機能（携帯電話機１のテレビ機能またはリモコン機能もしくはその双方）の選択決定を行う処理を実行するようにしたので、文字情報（ニュース情報や番組情報など）と、映像／音声情報（テレビ放送など）との連携利用の際に生起しえる諸問題、たとえば、通信機能等の喪失問題や電池の消耗問題を回避することができる。
【００９４】
すなわち、「通信機能等の喪失問題」を回避する場合は、条件記憶部Ｍ６の項目“動作中の機能”の設定フラグを１（選択状態）にしておけばよい。このようにしておけば、すくなくとも、携帯電話機１の現在の動作機能が「テレビ機能動作中」や「待受け状態」の場合にのみ「テレビ機能」が選択決定される。このとき、それ以外の機能が動作している場合には「テレビ機能」の代わりに「リモコン機能」が選択決定されるが、“それ以外の機能”には電話等の「通信機能」が含まれるから、上記のように、「テレビ機能」の代わりに「リモコン機能」が選択決定された場合には、携帯電話機１の通信機能を維持したまま、その携帯電話機１のリモコン機能を用いて外部のテレビ受信機（図１のＡＶ機器２参照）を遠隔操作（テレビ放送を視聴）しつつ、通話を続けることができ、それゆえ、「通信機能等の喪失問題」を回避できるのである。
【００９５】
また、「電池の消耗問題」を回避する場合は、条件記憶部Ｍ６の項目“電池残量”の設定フラグを１（選択状態）にしておけばよい。このようにしておけば、すくなくとも、携帯電話機１の電池残量が充分な場合にのみ「テレビ機能」が選択決定され、それ以外の場合（電池の残量少）には「テレビ機能」の代わりに「リモコン機能」が選択決定される結果、電池の残量少の場合に電力消費が少ない「リモコン機能」を選択することができ、外部のテレビ受信機（図１のＡＶ機器２参照）でテレビ放送を視聴しつつ、携帯電話機１の電池消耗を抑えて上記の「電池の消耗問題」を回避できるのである。
【００９６】
本実施形態においては、上記二つの特有効果（通信機能等の喪失問題回避と電池の消耗問題回避の効果）に加えて、さらに、以下に示す付帯的効果を得ることができる。
【００９７】
＜ユーザの興味分野に適合した柔軟な選択特性＞
ユーザの操作によって指定キーワード記憶部Ｍ５や条件記憶部Ｍ６の内容を編集加工することにより、すなわち、任意のキーワードを指定キーワード記憶部Ｍ５に新規登録し、または、登録済みキーワードを変更し、さらに、それらのキーワードをテレビ機能とリモコン機能の選択条件として条件記憶部Ｍ６に追加登録または更新登録することにより、ユーザの興味分野に適合した柔軟な選択特性（テレビ機能とリモコン機能の選択特性）を得ることができる。
【００９８】
たとえば、株や証券または為替などに興味があるユーザの場合は、それらに関連する適切なキーワードを登録し、さらに、当該キーワードを含むニュース等を受け取った場合に、より詳細な情報を得るための音声情報配信サービスのリンク情報（テレビ放送であれば、番組の放送予定日時やチャンネル番号など）を登録しておけばよい。この場合、特段の即時性が求められるキーワード（たとえば、株価や為替の動向に強い影響を与える公的指数）については、たとえ、外出時であっても、より詳細な情報を得るために携帯電話機１の「テレビ機能」を速やかに起動することが好ましく、一方、時間をかけてゆっくりと検討してもかまわないキーワード（たとえば、アナリストの分析報告など）については、詳細なチャートや詳しい数表を見る等の必要上、大画面テレビで視聴するほうが好ましいから、それらの求めに応じて、条件記憶部Ｍ６に「テレビ機能」や「リモコン機能」を適宜に設定すればよい。
【００９９】
このようにすれば、ユーザの興味分野に適合した任意のキーワードを登録し、且つ、それらのキーワードに対応するより詳細な音声／映像情報サービスを携帯電話１で見るか、または、自宅のテレビで見るかを適宜に設定することができ、柔軟性に富んだ選択特性（テレビ機能とリモコン機能の選択特性）を得ることができる。
【０１００】
＜ユーザの生活習慣に適合した柔軟な選択特性（その１）＞
また、前記のキーワードとともに、ユーザの生活時間帯に関する情報も一緒に登録しておけば、たとえば、在宅中且つ起床中の場合は携帯電話機１の「リモコン機能」を用いて自宅のテレビを遠隔操作し、そのテレビで詳細な情報を得ることができる一方、外出中の場合は携帯電話機１の「テレビ機能」を用いて詳細な情報を得ることができる。ここで、“ユーザの生活時間帯に関する情報”は任意に設定可能である。したがって、平日日中に会社に勤務し、土日祝日は休みという一般的な生活習慣はもちろんのこと、夜間勤務や不定期勤務、あるいは、学生のような特殊な生活習慣、等々、あらゆるケースの生活習慣に柔軟に対応することができ、各々の生活習慣に適合した柔軟な選択特性（テレビ機能とリモコン機能の選択特性）を得ることができる。
【０１０１】
＜ユーザの生活習慣に適合した柔軟な選択特性（その２）＞
加えて、上記のユーザの生活時間帯に関する情報に加えて、位置に関する情報も登録しておくと好ましい。位置に関する情報とは、携帯電話機１の現在の位置情報のことであり、より詳しくは、自宅及びその周辺に位置しているか否かを示す情報のことである。自宅及びその周辺に位置している場合には自宅のテレビを利用できるので、ことさら無理して携帯電話機１の「テレビ機能」を起動する必要はない。むしろ、電池の消耗回避の点から自宅のテレビを利用すべきである。この場合、携帯電話機１の「リモコン機能」を用いれば、テレビのリモコンを探し出す必要がないので都合がよい。
【０１０２】
このように、携帯電話機１の位置に関する情報も登録しておくと、ユーザの生活時間帯が例外的に変化した場合、たとえば、平日の日中に休暇等で在宅している場合に、携帯電話機１のテレビ機能の代わりに自宅のテレビを利用することができるようになるから、多用に変化し得るユーザの生活習慣に、より高度に適合した柔軟な選択特性（テレビ機能とリモコン機能の選択特性）を得ることができる。
【０１０３】
ただし、この選択特性（その２）を得るためには、“時間帯”と“位置”に優先関係を設定しておく必要がある。すなわち、携帯電話機１の現在位置が自宅及びその周辺にある場合には、“時間帯”による選択特性（その１）に対して、この“位置”による選択特性（その２）を優先させるように設定しておく必要がある。
【０１０４】
なお、上述した実施形態は、実施可能な態様の一例を示すものであって、それに限定されない。たとえば、以下のようなものであってもよい。
【０１０５】
端末装置は携帯電話機１に限らない。テレビ受信機能とリモコン機能とを備えたものであればよく、たとえば、地デジ放送用テレビ受信端末や、パーソナルコンピュータ、ＰＤＡ、デジタルカメラ、音楽プレイヤーなど、任意の端末装置であってもよい。また、折り畳みタイプの端末装置（携帯電話機１）としたが、ストレートタイプ、スライドタイプ、スピントップタイプなど任意の筐体構造を持つものであってもよい。また、端末装置の使用スタイルをクローズスタイルやオープンスタイル、ビュースタイルとしたが、これに限らない。筐体構造に応じたスタイルであればよい。
【０１０６】
また、記憶部１３は端末装置に備えられている記憶部としたが、メモリカードや外付けハードディスクなど、任意の外部記憶装置であってもよい。また、表示部１８は端末装置に備えられている表示部としたが、外部モニタなど、任意の外部表示装置であってもよい。また、表示部１８を、端末装置に備えられている表示部としたが、外部モニタなど、任意の外部表示装置でもよい。
【０１０７】
また、受信情報を、不特定多数または特定多数に配信されるニュースと番組情報としたが、不特定多数または特定多数に配信される天気予報や個人宛に送信されるメールなど、文字を含む任意の情報であってもよい。起動する放送受信機能を「テレビ機能」とすると共に、リモコンで遠隔操作する外部装置を「テレビ装置」としたが、それぞれ「ラジオ機能」と「ラジオ装置」と読み替えてもよい。また、「テレビ機能」と「リモコン機能」のいずれか一方を起動するようにしたが、両方を起動するようにしてもよい。
【０１０８】
また、条件として、キーワード、スタイル、機能、電池残量、時刻、位置の中からいずれか１つを設定するようにしたが、これに限らず、たとえば、ビュースタイルで、かつ、待受状態の場合・・・・という具合に複数の条件を組み合わせるようにしてもよい。上述の優先関係（“時間帯”による選択特性＜“位置”による選択特性）は、この組み合わせの一例を示している。
【０１０９】
また、他の組み合わせ例は、たとえば、電池残量との組み合わせであり、具体的には、電池残量が僅かである場合に他の条件（キーワード、スタイル、動作中の機能、時間帯及び位置）が成立しても電力消費が大きいテレビ機能を起動せず、その代わりにリモコン機能を起動するという組み合わせである。加えて、これに、時間帯や位置の条件を組み合わせてもよい。これは、在宅中でない場合にリモコン機能を起動しても意味がないからであり、無用な処理の回避と電池の節約を図るために、自宅以外ではたとえ他の条件（キーワード、スタイル、動作中の機能、時間帯及び位置）の判断結果がリモコン機能の選択であったとしても、その判断を無視し（つまり、時間帯や位置の判断を優先し）、リモコン機能を起動しないようにしたほうが理にかなっているからである。
【符号の説明】
【０１１０】
１  携帯電話機（端末、端末装置）
２  ＡＶ機器（第二の映像／音声情報取得手段）
１１  中央制御部（判定手段、起動手段、検出手段、コンピュータ）
１２  電池部（検出手段）
１４  ＧＰＳ受信部（取得手段）
１５  無線通信部（文字情報取得手段）
１７  テレビ放送受信部（第一の映像／音声情報取得手段）
２０  ＲＴＣ（取得手段）
２３  リモコン送信部（遠隔操作手段）
２４  スタイル検出部（検出手段）
Ｓ５２  ステップ（判定工程）
Ｓ５３  ステップ（起動工程）
Ｓ５４  ステップ（起動工程）
【図１】
2011035874.tif 000003
【図２】
2011035874.tif 000004
【図３】
2011035874.tif 000005
【図４】
2011035874.tif 000006
【図５】
2011035874.tif 000007
【図６】
2011035874.tif 000008
【図７】
2011035874.tif 000009
【図８】
2011035874.tif 000010
【図９】
2011035874.tif 000011
【図１０】
2011035874.tif 000012
【図１１】
2011035874.tif 000013
【図１２】
2011035874.tif 000014
【図１３】
2011035874.tif 000015
【図１４】
2011035874.tif 000016
【図１５】
2011035874.tif 000017